(57)【要約】      （修正有）【課題】ＤＩＮ規格レールに、取付け、取外しができる装置を、電気機器のサイズを増大させることなく、簡単、かつ低コストで組込むＤＩＮレール取付装置を提供する。【解決手段】電気機器１の底部に設けられた固定ストッパーと１ａと、電気機器１に取付けられている固定具２の下部２ｂの部分の撓りを利用して可動する可動ストッパー２ｃとでＤＩＮレール３の係止片３ａ、３ｂを係止する構造とする。或いは、電気機器の底部に設けられた固定ストッパーと、電気機器の横溝に取付けられている固定具の弾性部の撓りを利用して、電気機器の三角溝に固定具の突部をはめあわせ電気機器に固定される固定具に設けられた可動ストッパーとでＤＩＮレールの係止片を係止する構造とする。【選択図】図１
0003172973.tif 000002
【実用新案登録請求の範囲】
【請求項１】
略コの字状断面を有し、この略コの字状の両縁に外向きのフランジ状の係止片が形成され、前記略コの字状の開口を上向きに配置されたＤＩＮレールに対し、電気機器を上から載せた状態で取付け取外しするため、電気機器に設けられる取付け装置において、電気機器の底部に形成され前記一方の係止片に係止する固定ストッパーと、他方の係止片を係止する固定具と、を有し、この固定具は、弾性を有し横方向の力により横方向の撓りを生じさせるため上下に長い縦断面と、電気機器に上部が固定される上固定部と、下部に形成され前記他方の係止片を係止する可動ストッパーと、取付け取外しの際に、前記電気機器へ横方向の力を加えることで前記可動ストッパーを撓らせて一旦後退させるために十分な前記縦断面の長さと、を備えたことを特徴とするＤＩＮレール取付装置。
【請求項２】
略コの字状断面を有し、この略コの字状の両縁に外向きのフランジ状の係止片が形成され、前記略コの字状の開口を上向きに配置されたＤＩＮレールに対し、電気機器を上から載せた状態で取付け取外しするため、電気機器に設けられる取付け装置において、電気機器の底部に形成され前記一方の係止片に係止する固定ストッパーと、他方の係止片を係止する固定具と、この固定具を保持するための横溝と、この固定具を固定するための三角溝と、を有し、この固定具は、弾性を有し縦方向の力により縦方向の撓りを生じさせるため左右に長い横断面と、電気機器の前記三角溝にはめあわせるための突部と、前記他方の係止片を係止する可動ストッパーと、取付け取外しの際に、前記固定具に縦方向の力を加えることで撓らせて、前記固定具を固定するための三角溝から前記突部を外し前記可動ストッパーを一旦後退させるために十分な前記横断面の長さと、を備えたことを特徴とするＤＩＮレール取付装置。
【考案の詳細な説明】
【技術分野】
【０００１】  本考案は、電気機器をＤＩＮ規格レールに取付けるための装置に関する。
【背景技術】
【０００２】  ヒューズやリレーなどの電気機器をＤＩＮ規格レールに取付けるＤＩＮレール取付装置には、回路の変更等で取外しが必要な場合のために、取外しができる機構を設けたものがある。図７（正面図）、図８（底面より見た斜視図）は、その従来例を示す。【０００３】  略コの字状断面を有し、この略コの字状の両縁に外向きのフランジ状の係止片が形成され、前記略コの字状の開口を上向きに配置されたＤＩＮレールに対し、電気機器を上から載せた状態で取付け取外しするため、電気機器に設けられる取付け装置において、電気機器７の底部に、溝７ａと、ＤＩＮレール９の一方の係止片９ａを係止する固定ストッパー７ｂと、溝７ａと交差する方向に摺動可能で、ＤＩＮレール９の他方の係止片９ｂを係止するための固定具８と、固定具８の開口部８ａ内に位置する形で略コの字状でその両外に弾性片８ｂを押し広げる突部７ｄを持つ突起７ｃを有する。電気機器１に取付けられている固定具８は、中央部の四角状の開口部８ａと、開口部８ａの基部側のコーナー部から略ハの字状でその先端部に突部８ｃを設けた弾性を有する弾性片８ｂと、開口部８ａの先端側からこの弾性片８ｂの間に位置するように突設しているストッパー８ｄを有する。【０００４】  この固定具８を組込んだ電気機器７をＤＩＮレール９に取付けるには、ＤＩＮレール９の係止片９ａを電気機器７の固定ストッパー７ｂで係止した後、固定具８の先端の可動ストッパー８ｅがＤＩＮレール９の係止片９ｂと係止する位置に固定具８を位置させる。このとき弾性片８ｂの突部８ｃは突起７ｃの突部７ｄを溝７ａ側に乗り越えている。この状態で電気機器７をＤＩＮレール９に押込むと、固定具８は弾性片８ｂの突部８ｃと突起７ｃの突部７ｄとの係止による溝７ａ方向（Ｂ方向）への弾性を受けながら溝７ａとは反対方向（Ａ方向）に一旦移動し、固定具８の先端の可動ストッパー８ｅがＤＩＮレール９の係止片９ｂを乗り越えた所で当初位置に復帰し、電気機器７はＤＩＮレール９に取付けられる。【０００５】  ＤＩＮレール９に取付けられた電気機器７をＤＩＮレール９から取外すには、固定具８を固定具８のストッパ８ｄが突起７ｃの略コの字状内部底面に当接する位置まで溝７ａとは反対方向（Ａ方向）に引き出す。この位置では固定具８の弾性片８ｂの突部８ｃは、突起７ｃの突部７ｄを溝７ａとは反対方向（Ａ方向）に乗り越えており固定具８には弾性片８ｂによる弾性の作用はなくなり、固定具８の先端の可動ストッパー８ｅがＤＩＮレール９の係止片９ｂとの係止から外れた位置に止まり、電気機器７を容易にＤＩＮレール９から取外すことができる。
【先行技術文献】
【特許文献】
【０００６】
【特許文献１】特開平２−３１０９９９号公報
【考案の概要】
【考案が解決しようとする課題】
【０００７】  しかしながら、このようなＤＩＮレール取付装置を電気機器７に組込むには、電気機器の内部構造７ｅに干渉しない場所に配置する必要があるため、ＤＩＮレール取付装置の大きさの分、電気機器のサイズが増大してしまうという問題が生じる。また、ＤＩＮレール取付装置に使われる固定具８の形状や組立方法が複雑なため、製品がコストアップするという問題がある。
この考案は上記のような問題点を解消するためになされたもので、電気機器のサイズ増大を抑えるとともに、固定具の構造や組立方法を単純化し、製品をコストダウンすることを目的とする。
【課題を解決するための手段】
【０００８】  課題を解決するための第１の考案は、略コの字状断面を有し、この略コの字状の両縁に外向きのフランジ状の係止片が形成され、前記略コの字状の開口を上向きに配置されたＤＩＮレールに対し、電気機器を上から載せた状態で取付け取外しするため、電気機器に設けられる取付け装置において、電気機器の底部に形成され前記一方の係止片に係止する固定ストッパーと、他方の係止片を係止する固定具と、を有し、この固定具は、弾性を有し横方向の力により横方向の撓りを生じさせるため上下に長い縦断面と、電気機器に上部が固定される上固定部と、下部に形成され前記他方の係止片を係止する可動ストッパーと、取付け取外しの際に、前記電気機器へ横方向の力を加えることで前記可動ストッパーを撓らせて一旦後退させるために十分な前記縦断面の長さと、を備えたことを特徴とするＤＩＮレール取付装置である。【０００９】  課題を解決するための第２の考案は、略コの字状断面を有し、この略コの字状の両縁に外向きのフランジ状の係止片が形成され、前記略コの字状の開口を上向きに配置されたＤＩＮレールに対し、電気機器を上から載せた状態で取付け取外しするため、電気機器に設けられる取付け装置において、電気機器の底部に形成され前記一方の係止片に係止する固定ストッパーと、他方の係止片を係止する固定具と、この固定具を保持するための横溝と、この固定具を固定するための三角溝と、を有し、この固定具は、弾性を有し縦方向の力により縦方向の撓りを生じさせるため左右に長い横断面と、電気機器の前記三角溝にはめあわせるための突部と、前記他方の係止片を係止する可動ストッパーと、取付け取外しの際に、前記固定具に縦方向の力を加えることで撓らせて、前記固定具を固定するための三角溝から前記突部を外し前記可動ストッパーを一旦後退させるために十分な前記横断面の長さと、を備えたことを特徴とするＤＩＮレール取付装置である。
【考案の効果】
【００１０】  第１の考案、又は第２の考案によれば、固定具を電気機器の内部構造に干渉しない電気機器の外側に設けることが可能となり、電気機器のサイズを増大させることなくＤＩＮレール取付装置を組込むことが可能である。又、固定具の形状を複雑化することなく、固定具の弾性（撓り）を利用して、固定機構、および取外し機構を持たせたことにより、固定具の製造方法を簡素化することができ、低コスト化がはかれる。又、電気機器への固定具の取付けは、電気機器に構成した溝、或いは穴に固定具を差込むだけであるので、生産工程を簡略化でき、ひいては製造コストを低く抑えることができる。
【図面の簡単な説明】
【００１１】
【図１】この考案の請求項１に示す第１の考案の一実施形態を示す正面図である。
【図２】この考案の請求項１に示す第１の考案の一実施形態を示す側面図である。
【図３】この考案の請求項１に示す第１の考案の可動ストッパー動作時の正面図である。
【図４】この考案の請求項２に示す第２の考案の一実施形態を示す正面図である。
【図５】この考案の請求項２に示す第２の考案の一実施形態を示す側面図である。
【図６】この考案の請求項２に示す第２の考案の可動ストッパー動作時の正面図である。
【図７】従来技術を示す正面図である。
【図８】従来技術を底面より見た斜視図である。
【考案を実施するための形態】
【実施例１】
【００１２】  以下本考案の実施例を図面を参照して説明する。図１（正面図），図２（側面図），図３（可動ストッパー動作時の正面図）は、本考案に基づき構成された電気機器を示している。【００１３】  電気機器１は、難燃性の材質、例えば、フェノール樹脂などからなり、ＤＩＮレール３の一方の係止片３ａに係止するための固定ストッパー１ａ及び、固定具２を固定するための穴１ｂを有する。電気機器１に取付けられている固定具２は、弾性に富む、例えば、ナイロン樹脂などからなり、ＤＩＮレール３の他方の係止片３ｂを係止する可動ストッパー２ｃと、電気機器１の穴１ｂにはめあわせ、電気機器１に固定するための突部２ａを有する。【００１４】  尚、電気機器１の材質にナイロン樹脂などの弾性に富む材質が使用可能な場合には、電気機器１と固定具２とを一体化することも可能である。【００１５】  電気機器１をＤＩＮレール３に取付けるには、ＤＩＮレール３の係止片３ｂを固定具２の可動ストッパー２ｃで係止した後、電気機器１の１ｄの部分を押して横方向（Ｂ方向）の力を加え、固定具２の２ｂの部分を撓らせ、その弾性に逆らいながら固定具２の可動ストッパー２ｃをＡ方向に一旦後退させる。この状態で可動ストッパー２ｃを支点として、電気機器１を下方向（Ｄ方向）に移動し、電気機器１の固定ストッパー１ａがＤＩＮレール３の係止片３ａを越えた所で横方向（Ｂ方向）の力を止めると、固定具２の２ｂの部分の弾性により可動ストッパー２ｃが当初位置に復帰し、ＤＩＮレール３の係止片３ａは、電気機器１の固定ストッパー１ａに係止され、電気機器１はＤＩＮレール３に取付けられる。【００１６】  或いは、ＤＩＮレール３の係止片３ａを電気機器１の固定ストッパー１ａで係止した後、ＤＩＮレール３の係止片３ｂを固定具２の可動ストッパー２ｃの下に位置させ、この状態で電気機器１を下方向（Ｄ方向）に押し込むと、固定具２の可動ストッパー２ｃは、固定具２に形成された傾斜面２ｅにより横方向（Ａ方向）の力を受け、固定具２の下部２ｂの部分を撓らせ、その弾性に逆らいながら、Ａ方向に一旦後退し、固定具２の可動ストッパー２ｃがＤＩＮレール３の係止片３ｂを乗り越えた所で当初位置に復帰し、電気機器１はＤＩＮレール３に取付けられる。【００１７】  電気機器１をＤＩＮレール３から取外すには、電気機器１の１ｄの部分を押し横方向（Ｂ方向）の力を加え、固定具２の２ｂの部分を撓らせ、その弾性に逆らいながら固定具２の可動ストッパー２ｃをＡ方向に一旦後退させる。この状態で固定具２の可動ストッパー２ｃを支点として電気機器１を上方向（Ｃ方向）に移動すると、電気機器１の固定ストッパー１ａからＤＩＮレール３の係止片３ａが開放され、電気機器１は、ＤＩＮレールから取外すことができる。
【実施例２】
【００１８】  図４（正面図），図５（側面図），図６（可動ストッパー動作時の正面図）は、本考案に基づき構成された機器を示している。【００１９】  電気機器４は、難燃性の材質、例えば、フェノール樹脂などからなり、ＤＩＮレール６の一方の係止片６ａに係止するための固定ストッパー４ａ及び、固定具５を保持するための横溝４ｂと、固定するための三角溝４ｃを有する。電気機器４に取付けられている固定具５は、弾性に富む、例えば、ナイロン樹脂などからなり、他方の係止片６ｂを係止するための可動ストッパー５ｄと、三角溝４ｃにはめあわせ、電気機器４に固定するたの突部５ｃと、固定具５を移動させるために使用するドライバーの先端を保持させるための溝５ｅを有する。【００２０】  電気機器４をＤＩＮレール６に取付けるには、固定具５の溝５ｅの部分にドライバーの先端をあて、縦方向（Ｄ方向）に押し、固定具５の５ｂの部分を縦方向（Ｄ方向）に撓らせ、その弾性に逆らいながら、電気機器４の三角溝４ｃから固定具５の突部５ｃを外し、そのままドライバーをＡ方向に移動することにより、固定具５をＡ方向に一旦後退させる。この状態でＤＩＮレール６の係止片６ａを電気機器４の固定ストッパー４ａで係止し、固定ストッパー４ａを支点として電気機器４を縦方向（Ｄ方向）に移動し、固定具５の可動ストッパー５ｄがＤＩＮレール６の係止片６ｂを越えた所でドライバーをＢ方向に移動することにより、固定具５をＢ方向に移動し、固定具５の可動ストッパー５ｄでＤＩＮレール６の係止片６ｂを係止した後にドライバーを外すと、固定具５の５ｂの部分の弾性により固定具５が当初位置に復帰し、電気機器４の三角溝４ｃに固定具５の突部５ｃがはめ込まれ、固定具５は電気機器４に固定され、電気機器４はＤＩＮレール６に取付けられる。【００２１】  電気機器４をＤＩＮレール６から取外すには、固定具５の溝５ｅの部分にドライバーの先端をあて、縦方向（Ｄ方向）に押し、固定具５の５ｂの部分を縦方向（Ｄ方向）に撓らせ、その弾性に逆らいながら、電気機器４の三角溝４ｃから固定具５の突部５ｃを外し、そのままドライバーをＡ方向に移動することにより、固定具５をＡ方向に一旦後退させる。この状態で固定ストッパー４ａを支点として電気機器４を縦方向（Ｃ方向）に移動すると、固定具５の可動ストッパー５ｄからＤＩＮレール６の係止片６ｂが開放され、電気機器４は、ＤＩＮレール６から取外すことができる。【００２２】「実施形態の効果」
この実施形態によれば、固定具を電気機器の内部構造１ｃ又は４ｄに干渉しない電気機器の外側に設けることが可能になり、電気機器のサイズを増大させることなくＤＩＮレール取付装置を組込むことを可能とした。又、固定具の形状を複雑化することなく、固定具の弾性（撓り）を利用して、固定機構、および取外し機構を持たせたことにより、固定具の製造方法を簡素化することができ、低コスト化がはかれる。又、電気機器への固定具の取付けは、電気機器に構成した溝、或いは穴に固定具を差込むだけであるので、生産工程を簡略化でき、ひいては製造コストを低く抑えることができる。
【符号の説明】
【００２３】１    第１の考案の電気機器本体
１ａ  固定ストッパー
１ｂ  固定具固定用の穴
１ｃ  電気機器の内部構造
１ｄ  電気機器の取付け取外しの際に押す位置
２    固定具
２ａ  突部
２ｂ  固定具の下部
２ｃ  可動ストッパー
２ｅ  傾斜面
３    ＤＩＮレール
３ａ  ＤＩＮレール係止片
３ｂ  ＤＩＮレール係止片
４    第２の考案の電気機器本体
４ａ  固定ストッパー
４ｂ  固定具取付用の横溝
４ｃ  固定具固定用の三角溝
４ｄ  電気機器の内部構造
５    固定具
５ａ  固定具保持部
５ｂ  固定具弾性部
５ｃ  突部
５ｄ  可動ストッパー
５ｅ  ドライバ固定用の溝
６    ＤＩＮレール
６ａ  ＤＩＮレール係止片
６ｂ  ＤＩＮレール係止片
７    従来例の電気機器本体
７ａ  電気機器溝
７ｂ  固定ストッパー
７ｃ  突起
７ｄ  突部
７ｅ  電気機器の内部構造
８    固定具
８ａ  溝
８ｂ  弾性片
８ｃ  弾性片突部
８ｄ  ストッパー
８ｅ  可動ストッパー
９    ＤＩＮレール
９ａ  ＤＩＮレール係止片
９ｂ  ＤＩＮレール係止片
【図１】
0003172973.tif 000003
【図２】
0003172973.tif 000004
【図３】
0003172973.tif 000005
【図４】
0003172973.tif 000006
【図５】
0003172973.tif 000007
【図６】
0003172973.tif 000008
【図７】
0003172973.tif 000009
【図８】
0003172973.tif 000010